(57)【要約】【課題】溶着工程を廃止することでコストダウンを図る。【解決手段】本明細書によって開示される端子１０は、筒状をなす端子本体３０と、端子本体３０の内部に差し込まれる軸部２２を有する絶縁部材２０とを備えた端子１０であって、軸部２２には、係止位置と係止位置よりも軸部２２の軸心２６側に位置する非係止位置との間で変位可能な係止部が設けられ、端子本体３０には、非係止位置から係止位置に弾性的に復帰した係止部が係止することで軸部２２を端子本体３０の内部に保持させる係止凹部が設けられている構成とした。【選択図】図３
2018022581.tif 000002
【特許請求の範囲】
【請求項１】
筒状をなす端子本体と、
前記端子本体の内部に差し込まれる軸部を有する絶縁部材とを備えた端子であって、
前記軸部には、係止位置と前記係止位置よりも前記軸部の軸心側に位置する非係止位置との間で変位可能な係止部が設けられ、前記端子本体には、前記非係止位置から前記係止位置に弾性的に復帰した前記係止部が係止することで前記軸部を前記端子本体の内部に保持させる係止凹部が設けられている端子。
【請求項２】
前記係止部は、片持ち状に延びる形態をなすロック片の自由端部に設けられた突起である請求項１に記載の端子。
【請求項３】
前記突起は、前記端子本体の一部を貫通して設けられたロック孔に内側から嵌まり込むものとされ、前記係止凹部は、前記ロック孔の内壁のうち前記突起が係止する部分である請求項２に記載の端子。
【請求項４】
前記端子本体は、円筒状をなす端子接続部を有し、前記軸部の外面には、前記絶縁部材の前記端子本体に対する装着方向に延びるガイドリブが設けられ、前記端子接続部には、前記ガイドリブが進入する溝部が設けられている請求項１から請求項３のいずれか一項に記載の端子。
【発明の詳細な説明】
【技術分野】
【０００１】
本明細書によって開示される技術は、端子に関する。
【背景技術】
【０００２】
従来、触指対策として端子本体の先端に絶縁性の先端絶縁部を設けた端子として、特開２０１４−６３６８７号公報に記載のものが知られている。端子本体には、軸方向に貫通するロッド貫通孔を有する端子接触部が設けられている。先端絶縁部は、ロッド貫通孔を貫通する貫通ロッド部を有する絶縁部材の一部として形成されている。貫通ロッド部をロッド貫通孔に前方から挿入すると、貫通ロッド部の後端部がロッド貫通孔の後方に突出し、この突出した部分を熱溶着することによって拡径部に係止させるようにしている。拡径部は、端子本体に絞り加工を施すことによってロッド貫通孔よりも大径に形成されている。
【先行技術文献】
【特許文献】
【０００３】
【特許文献１】特開２０１４−６３６８７号公報
【発明の概要】
【発明が解決しようとする課題】
【０００４】
しかしながら、上記の端子では、貫通ロッド部の後端部を拡径部で溶着する必要があるため、拡径部の形状がばらつくことで溶着強度（保持力）にもばらつきが発生する可能性がある。また、貫通ロッド部の後端部を溶着させる熱溶着工程が必要になるため、端子全体としてのコストアップが課題となる。
【課題を解決するための手段】
【０００５】
本明細書によって開示される端子は、筒状をなす端子本体と、前記端子本体の内部に差し込まれる軸部を有する絶縁部材とを備えた端子であって、前記軸部には、係止位置と前記係止位置よりも前記軸部の軸心側に位置する非係止位置との間で変位可能な係止部が設けられ、前記端子本体には、前記非係止位置から前記係止位置に弾性的に復帰した前記係止部が係止することで前記軸部を前記端子本体の内部に保持させる係止凹部が設けられている構成とした。
【０００６】
このような構成によると、係止部を係止位置から非係止位置に変位させて軸部を端子本体の内部に挿入し、軸部が正規の挿入位置に至ると係止部が非係止位置から係止位置に弾性的に復帰することで係止部を被係止部に係止させる。これにより、軸部を端子本体の内部に保持させることができる。このような係止部は、絶縁部材を樹脂成形する際に軸部と一体に成形することができるため、コストアップの要因にはならない。したがって、絶縁部材を端子本体に保持させるための溶着工程を廃止することができ、コストダウンを図ることができる。
【０００７】
本明細書によって開示される端子は、以下の構成としてもよい。
前記係止部は、片持ち状に延びる形態をなすロック片の自由端部に設けられた突起である構成としてもよい。
このような構成によると、ロック片を撓み変形させることで突起を変位させることができる。
【０００８】
前記突起は、前記端子本体の一部を貫通して設けられたロック孔に内側から嵌まり込むものとされ、前記係止凹部は、前記ロック孔の内壁のうち前記突起が係止する部分である構成としてもよい。
このような構成によると、突起をロック孔に向けて内側から嵌め込んでロック孔の内壁に係止させることで軸部を端子本体の内部に保持させることができる。また、端子本体の一部を貫通してロック孔を設けているから、ロック孔の形状を安定させることができ、突起がロック孔の内壁に係止することで生じる保持力を安定させることができる。
【０００９】
前記端子本体は、円筒状をなす端子接続部を有し、前記軸部の外面には、前記絶縁部材の前記端子本体に対する装着方向に延びるガイドリブが設けられ、前記端子接続部には、前記ガイドリブが進入する溝部が設けられている構成としてもよい。
このような構成によると、ガイドリブを溝部に進入させることで、軸部を端子接続部に対して周方向に位置決めすることができる。
【発明の効果】
【００１０】
本明細書によって開示される端子によれば、溶着工程を廃止することでコストダウンを図ることができる。
【図面の簡単な説明】
【００１１】
【図１】端子の側面図
【図２】端子の平面図
【図３】図１におけるＡ−Ａ線断面図
【図４】図１におけるＢ−Ｂ線断面図
【図５】端子の正面図
【図６】端子本体の平面図
【図７】端子本体の側面図
【図８】図７におけるＣ−Ｃ線断面図
【図９】端子本体の正面図
【図１０】絶縁部材の側面図
【図１１】絶縁部材の平面図
【発明を実施するための形態】
【００１２】
＜実施形態＞
実施形態を図１から図１１の図面を参照しながら説明する。端子１０は、図１に示すように、絶縁性の絶縁部材２０と、導電性の端子本体３０とを備えて構成されている。
【００１３】
絶縁部材２０は、触指対策用の樹脂材である。絶縁部材２０は、図１０および図１１に示すように、頭部２１と、頭部２１から後方に延びる軸部２２と、軸部２２の後端部２２Ａから後方に突出して設けられた一対のロック片２３と、軸部２２の上面において頭部２１から後方に延びるガイドリブ２４とを備えて構成されている。
【００１４】
頭部２１は、前端部が丸みを帯びた丸棒状をなし、絶縁部材２０が端子本体３０に装着された状態では、図１および図２に示すように、端子本体３０の前方に配置されている。一方、軸部２２は、図４に示すように、上下面が平行な平面で構成された平板状をなしている。なお、軸部２２は、頭部２１と同軸に配置されている。
【００１５】
図１１に示すように、一対のロック片２３は、並列に並んで配置されている。一対のロック片２３の間には、各ロック片２３の撓み空間２５が形成されている。各ロック片２３は、軸部２２の軸心２６側に弾性的に撓み可能とされている。
【００１６】
ロック片２３の自由端部には、突起２７が側方に突出して設けられている。各突起２７は、互いに反対方向を向いて突出する形態とされている。一対の突起２７は、自然状態では係止位置に位置しているものの、一対のロック片２３が互いに近づく方向に撓み変形した状態では非係止位置に位置するものとされている。
【００１７】
端子本体３０は、図６に示すように、相手端子に接続される端子接続部３１と、図示しない電線に接続される電線接続部３２と、端子接続部３１と電線接続部３２をつなぐ首部３３とを備えて構成されている。端子本体３０は、金属平板に打ち抜き加工、曲げ加工などを施すことによって形成されている。このため、端子本体３０の形状は、絞り加工を伴う場合に比べて安定している。
【００１８】
首部３３は、端子接続部３１と等幅で構成された前側部分と、電線接続部３２に向けて拡径された後側部分とからなり、前側部分の上縁には、一対のフランジ部３４が設けられている。一方のフランジ部３４は、抜け止め用のフランジ部とされ、図示しないハウジングに設けられたランスが係止可能とされている。他方のフランジ部３４は、ガイド用のフランジ部とされ、図示しないハウジングに設けられたガイド溝に進入可能とされている。
【００１９】
端子接続部３１は、図９に示すように、略円筒状をなしている。詳細には端子接続部３１は、略Ｃ字状をなし、端子接続部３１の上部において上方に開口する形態をなしている。端子接続部３１の両端部３１Ａは、左右方向に対向する配置とされている。両端部３１Ａによって囲まれた空間は溝部３５とされている。図４に示すように、軸部２２の左右両側面は、端子接続部３１の内周面に沿う円弧状とされている。
【００２０】
また、図７に示すように、端子接続部３１の側壁３６には、ロック孔３７が側方に開口して設けられている。ロック孔３７は、打ち抜き加工によって形成された貫通孔であって、各側壁３６に一つずつ設けられている。
【００２１】
次に、本実施形態の作用を説明する。絶縁部材２０を端子本体３０に対して前方から装着すると、一対の突起２７が端子接続部３１の前端開口部に摺接し、一対のロック片２３が係止位置から非係止位置へと互いに接近する方向に撓み変形する。一対の突起２７が非係止位置にある状態で一対のロック片２３を端子接続部３１の内部に挿入していくと、ガイドリブ２４が溝部３５の前端入口に至る。ガイドリブ２４が溝部３５に進入すると、絶縁部材２０が端子本体３０に対して周方向に位置決めされる。このようにして絶縁部材２０を周方向に位置決めした状態で絶縁部材２０の軸部２２を端子接続部３１の内部に挿入していく。
【００２２】
絶縁部材２０の軸部２２が正規の挿入位置に至ると、一対の突起２７が一対のロック孔３７に至る。すると、一対の突起２７が一対のロック孔３７に対して勢いよく内側から嵌まり込むとともに、一対のロック片２３が非係止位置から係止位置へと弾性的に復帰する。この結果、一対の突起２７が一対のロック孔３７の内壁３７Ａに対して後方から係止可能となる。この状態では、絶縁部材２０の頭部２１が端子接続部３１の前側に隣り合って配され、図１および図２に示すように、頭部２１の外周面と端子接続部３１の外周面とが前後方向に連続し、面一に並んで配される。
【００２３】
仮に、端子１０に対して前方から指が近づくと、指が頭部２１に接触するものの、端子接続部３１には接触しにくいようになっている。また、頭部２１が前方に引っ張られた場合には、突起２７がロック孔３７の内壁３７Ａに後方から係止することで、絶縁部材２０が端子接続部３１に対して抜け止めされる。なお、一対の突起２７は、図２に示すように、ロック孔３７の内部に位置しており、ロック孔３７の外部に飛び出していないため、一対の突起２７が外部から押し込まれるなどして、ロック孔３７の内壁３７Ａとの係止が解除されることはないものとされている。
【００２４】
以上のように本実施形態では、係止部を係止位置から非係止位置に変位させて軸部２２を端子本体３０の内部に挿入し、軸部２２が正規の挿入位置に至ると係止部が非係止位置から係止位置に弾性的に復帰することで係止部を被係止部に係止させる。これにより、軸部２２を端子本体３０の内部に保持させることができる。このような係止部は、絶縁部材２０を樹脂成形する際に軸部２２と一体に成形することができるため、コストアップの要因にはならない。したがって、絶縁部材を端子本体に保持させるための溶着工程を廃止することができ、コストダウンを図ることができる。
【００２５】
係止部は、片持ち状に延びる形態をなすロック片２３の自由端部に設けられた突起２７である構成としてもよい。
このような構成によると、ロック片２３を撓み変形させることで突起２７を変位させることができる。
【００２６】
突起２７は、端子本体３０の一部を貫通して設けられたロック孔３７に内側から嵌まり込むものとされ、係止凹部は、ロック孔３７の内壁３７Ａのうち突起２７が係止する部分である構成としてもよい。
このような構成によると、突起２７をロック孔３７に向けて内側から嵌め込んでロック孔３７の内壁３７Ａに係止させることで軸部２２を端子本体３０の内部に保持させることができる。また、端子本体３０の一部を貫通してロック孔３７を設けているから、ロック孔３７の形状を安定させることができ、突起２７がロック孔３７の内壁３７Ａに係止することで生じる保持力を安定させることができる。
【００２７】
端子本体３０は、円筒状をなす端子接続部３１を有し、軸部２２は丸棒状とされ、軸部２２の外周面には、絶縁部材２０の端子本体３０に対する装着方向に延びるガイドリブ２４が設けられ、端子接続部３１には、ガイドリブ２４が進入する溝部３５が設けられている構成としてもよい。
このような構成によると、ガイドリブ２４を溝部３５に進入させることで、軸部２２を端子接続部３１に対して周方向に位置決めすることができる。
【００２８】
＜他の実施形態＞
本明細書によって開示される技術は上記記述及び図面によって説明した実施形態に限定されるものではなく、例えば次のような種々の態様も含まれる。
（１）上記実施形態ではロック片２３が撓み変形することで突起２７が変位するものを例示しているものの、突起自体が撓み変形することで突起が変位するものとしてもよい。
【００２９】
（２）上記実施形態ではロック片２３が片持ち状をなすものを例示しているものの、ロック片が両持ち状をなすものとしてもよい。
【００３０】
（３）上記実施形態では係止凹部として貫通孔（ロック孔３７）の内壁３７Ａを例示しているものの、端子接続部３１の内周面を凹設することで有底の凹部を設けてもよい。
【００３１】
（４）上記実施形態ではガイドリブ２４が溝部３５に進入することで軸部２２を周方向に位置決めしているものの、端子接続部を角筒状とし、絶縁部材の軸部を角棒状とすることで、軸部を端子接続部に対して位置決めしてもよい。
【符号の説明】
【００３２】
１０…端子
２０…絶縁部材
２２…軸部
２３…ロック片
２４…ガイドリブ
２６…軸心
２７…突起（係止部）
３０…端子本体
３１…端子接続部
３５…溝部
３７…ロック孔
３７Ａ…内壁（係止凹部）
【図１】
2018022581.tif 000003
【図２】
2018022581.tif 000004
【図３】
2018022581.tif 000005
【図４】
2018022581.tif 000006
【図５】
2018022581.tif 000007
【図６】
2018022581.tif 000008
【図７】
2018022581.tif 000009
【図８】
2018022581.tif 000010
【図９】
2018022581.tif 000011
【図１０】
2018022581.tif 000012
【図１１】
2018022581.tif 000013